(57)【特許請求の範囲】
【請求項１】
建物で発生した火災を自動で報知する前記建物に設置される火災報知システムに含まれる端末装置を制御する制御部に、
前記建物に設置された火災感知器で火災の発生が感知された場合、火災を感知した前記火災感知器が設置された火災感知場所を示す火災場所情報を、前記端末装置の通信部を介して取得する第一取得処理と、
前記火災場所情報が取得された場合、前記火災感知場所を含む前記建物のフロアマップを、前記端末装置の表示部に表示させる第一表示処理と、
前記フロアマップが前記表示部に表示されている状態で、前記フロアマップ内の前記建物の所定の場所を指定するエリア指示を、前記端末装置の操作部を介して取得する第二取得処理と、
前記エリア指示が取得された場合、前記所定の場所に居る被災者の人数の特定に対応する被災情報を、前記表示部に表示させる第二表示処理と、
前記被災情報が前記表示部に表示されている状態で、前記被災者の人数を示す被災者値を、前記操作部を介して取得する第三取得処理と、
前記被災者値が取得された場合、前記被災者値と、前記所定の場所を示す指定場所情報と、を含む救助情報を、前記通信部から前記被災者値と前記指定場所情報とを記憶可能なサーバ機能を有する記憶装置に送信させる第一送信処理と、を実行させるプログラム。
【請求項２】
前記プログラムは、前記制御部に、
前記火災場所情報が取得された場合、前記火災場所情報と、前記フロアマップの表示に対応するマップ表示操作情報と、を前記表示部に表示させる第三表示処理と、
前記マップ表示操作情報が前記表示部に表示されている状態で、前記フロアマップの表示を指示するフロアマップ指示を、前記端末装置の操作部を介して取得する第四取得処理と、を実行させ、
前記第一表示処理は、前記火災場所情報と前記フロアマップ指示とが取得された場合に実行される、請求項１に記載のプログラム。
【請求項３】
前記第三表示処理は、前記火災場所情報が取得された場合、前記火災感知器で火災の発生が感知されたことに応じて警報音を出力する前記建物に設置された警報装置が出力する警報音の停止に対応する停止操作情報を、更に前記表示部に表示させる処理であり、
前記プログラムは、前記制御部に、
前記停止操作情報が前記表示部に表示されている状態で、前記警報装置が出力する警報音の停止を指示する停止指示を、前記操作部を介して取得する第五取得処理と、
前記停止指示が取得された場合、前記停止指示を前記通信部から前記警報装置に送信させる第二送信処理と、を実行させる、請求項２に記載のプログラム。
【請求項４】
前記第三表示処理は、前記火災場所情報が取得された場合、前記建物に設置された火災通報装置から前記建物の所在地を管轄する消防機関への緊急通報の実行に対応する緊急通報操作情報を、更に前記表示部に表示させる処理であり、
前記プログラムは、前記制御部に、
前記緊急通報操作情報が前記表示部に表示されている状態で、前記火災通報装置での緊急通報の実行を指示する通報指示を、前記操作部を介して取得する第六取得処理と、
前記通報指示が取得された場合、前記通報指示を前記通信部から前記火災通報装置に送信させる第三送信処理と、を実行させる、請求項２又は請求項３に記載のプログラム。
【請求項５】
前記第一表示処理は、前記建物に設置された防火扉と非常階段と消化器と消火栓のうちの少なくとも１つを含む防災設備を示す設備情報と、前記火災感知場所からの避難経路を示す経路情報と、の一方又は両方を含む前記フロアマップを、前記表示部に表示させる処理である、請求項１から請求項４の何れか１項に記載のプログラム。
【請求項６】
建物で発生した火災を自動で報知する前記建物に設置される火災報知システムに含まれる端末装置であって、
通信部と、
前記建物に設置された火災感知器で火災の発生が感知された場合、火災を感知した前記火災感知器が設置された火災感知場所を示す火災場所情報を、前記通信部を介して取得する第一取得処理部と、
表示部と、
前記火災場所情報が取得された場合、前記火災感知場所を含む前記建物のフロアマップを、前記表示部に表示させる第一表示処理部と、
操作部と、
前記フロアマップが前記表示部に表示されている状態で、前記フロアマップ内の前記建物の所定の場所を指定するエリア指示を、前記操作部を介して取得する第二取得処理部と、
前記エリア指示が取得された場合、前記所定の場所に居る被災者の人数の特定に対応する被災情報を、前記表示部に表示させる第二表示処理部と、
前記被災情報が前記表示部に表示されている状態で、前記被災者の人数を示す被災者値を、前記操作部を介して取得する第三取得処理部と、
前記被災者値が取得された場合、前記被災者値と、前記所定の場所を示す指定場所情報と、を含む救助情報を、前記通信部から前記被災者値と前記指定場所情報とを記憶可能なサーバ機能を有する記憶装置に送信させる第一送信処理部と、を備える端末装置。
【請求項７】
通信可能な火災受信装置と端末装置とを含み、建物で発生した火災を自動で報知する前記建物に設置される火災報知システムであって、
前記火災受信装置は、前記建物に設置された火災感知器で火災の発生が感知された場合、火災を感知した前記火災感知器が設置された火災感知場所を示す火災場所情報を送信する第一通信部を備え、
前記端末装置は、
第二通信部と、
前記火災場所情報を、前記第二通信部を介して取得する第一取得処理部と、
表示部と、
前記火災場所情報が取得された場合、前記火災感知場所を含む前記建物のフロアマップを、前記表示部に表示させる第一表示処理部と、
操作部と、
前記フロアマップが前記表示部に表示されている状態で、前記フロアマップ内の前記建物の所定の場所を指定するエリア指示を、前記操作部を介して取得する第二取得処理部と、
前記エリア指示が取得された場合、前記所定の場所に居る被災者の人数の特定に対応する被災情報を、前記表示部に表示させる第二表示処理部と、
前記被災情報が前記表示部に表示されている状態で、前記被災者の人数を示す被災者値を、前記操作部を介して取得する第三取得処理部と、
前記被災者値が取得された場合、前記被災者値と、前記所定の場所を示す指定場所情報と、を含む救助情報を、前記第二通信部から前記被災者値と前記指定場所情報とを記憶可能なサーバ機能を有する記憶装置に送信させる第一送信処理部と、を備える、火災報知システム。
【発明の詳細な説明】
【技術分野】
【０００１】
本発明は、建物で発生した火災を自動で報知する建物に設置される火災報知システムに含まれる端末装置を制御する制御部に所定の処理を実行させるプログラムと、端末装置と、火災報知システムに関する。
【背景技術】
【０００２】
火災報知に関する技術が提案されている。例えば、特許文献１には、設備管理装置が開示されている。設備管理装置では、表示制御手段は、イベント検出手段から出力されるイベント検知信号を受信する。イベント検知信号は、火災等のイベントが発生したことを示す。表示制御手段は、イベント発生位置に対応したトンネル背景画像をトンネル背景画像記憶手段から検索して表示手段の表示画面に表示する。更に、表示制御手段は、表示されたトンネル背景画像中に存在する設備を、表示されているトンネル背景画像上で絵表示により重畳表示する。前述の設備は、例えば、避難坑である。オペレータは、絵表示された設備の詳細情報を知りたい場合には、選択手段を用いて絵表示を選択指定する。表示制御手段は、指定された絵表示から要求された設備の種類を判断する。表示制御手段は、その設備の外観を表す静止画、キロポストの設置位置、設備の諸元を、トンネル背景画像上にウィンドウ方式で重畳表示する。選択手段として、表示手段の表示画面上に配置されたタッチパネル又はタブレットが用いられる。特許文献１では、設備管理装置は、容積の比較的大きな高層化されたビル内、収容人数の大きな映画館等の娯楽場設備又は高位置に設けられた展望室を有したタワー設備で発生した火災を含む様々な事故に対応した構成とすることも可能である、とされている。
【先行技術文献】
【特許文献】
【０００３】
【特許文献１】特開平９−１５４１２４号公報
【発明の概要】
【発明が解決しようとする課題】
【０００４】
建物に、火災感知器と火災受信機と警報出力機が設置されることがある。火災受信機は、例えば、建物の警備又は監視の拠点となる建物内の一室（例えば、管理室又は守衛室）に設置される。警報出力機としては、非常用放送設備及び地区音響装置（非常ベル）が例示される。火災感知器で火災の発生が感知された場合、火災受信機は、警報出力機を鳴動させる。建物内に居る者は、警報音によって火災の発生を知ることができる。発明者は、更に、火災が発生し又は火災の発生が疑われる状況において、建物の警備又は監視の拠点となる前述の場所から離れた場所に居る警備員又は監視員に、火災が発生した場所又は火災が発生した可能性のある場所を報知できる技術を検討した。
【０００５】
本発明は、火災が発生し又は火災が発生した可能性のある場合に迅速な対応を可能とする、端末装置用のプログラムと端末装置と火災報知システムを提供することを目的とする。
【課題を解決するための手段】
【０００６】
本発明の一側面は、建物で発生した火災を自動で報知する前記建物に設置される火災報知システムに含まれる端末装置を制御する制御部に、前記建物に設置された火災感知器で火災の発生が感知された場合、火災を感知した前記火災感知器が設置された火災感知場所を示す火災場所情報を、前記端末装置の通信部を介して取得する第一取得処理と、前記火災場所情報が取得された場合、前記火災感知場所を含む前記建物のフロアマップを、前記端末装置の表示部に表示させる第一表示処理と、前記フロアマップが前記表示部に表示されている状態で、前記フロアマップ内の前記建物の所定の場所を指定するエリア指示を、前記端末装置の操作部を介して取得する第二取得処理と、前記エリア指示が取得された場合、前記所定の場所に居る被災者の人数の特定に対応する被災情報を、前記表示部に表示させる第二表示処理と、前記被災情報が前記表示部に表示されている状態で、前記被災者の人数を示す被災者値を、前記操作部を介して取得する第三取得処理と、前記被災者値が取得された場合、前記被災者値と、前記所定の場所を示す指定場所情報と、を含む救助情報を、前記通信部から前記被災者値と前記指定場所情報とを記憶可能なサーバ機能を有する記憶装置に送信させる第一送信処理と、を実行させるプログラムである。このプログラムによれば、火災感知器で火災の発生が感知された場合、火災感知場所を含むフロアマップを表示部に表示することができる。端末装置のユーザは、表示部に表示されるフロアマップに基づき、火災への対応を検討することができる。フロアマップの表示に応じてエリア指示を取得し、被災情報を表示部に表示することができる。そして、被災情報の表示に応じて被災者値を取得し、救助情報を記憶装置に送信することができる。これに伴い、記憶装置にアクセスすることで、複数の者が、被災者の人数と被災者が居る場所を共有することができる。円滑な救助活動が可能となる。
【０００７】
前記プログラムは、前記制御部に、前記火災場所情報が取得された場合、前記火災場所情報と、前記フロアマップの表示に対応するマップ表示操作情報と、を前記表示部に表示させる第三表示処理と、前記マップ表示操作情報が前記表示部に表示されている状態で、前記フロアマップの表示を指示するフロアマップ指示を、前記端末装置の操作部を介して取得する第四取得処理と、を実行させ、前記第一表示処理は、前記火災場所情報と前記フロアマップ指示とが取得された場合に実行される、ようにしてもよい。この構成によれば、火災場所情報とマップ表示操作情報を表示部に表示することができる。マップ表示操作情報の表示部への表示に応じてフロアマップ指示を取得し、フロアマップを表示することができる。端末装置のユーザは、火災場所情報によって火災感知場所を認識し、フロアマップを表示させることができる。
【０００８】
前記第三表示処理は、前記火災場所情報が取得された場合、前記火災感知器で火災の発生が感知されたことに応じて警報音を出力する前記建物に設置された警報装置が出力する警報音の停止に対応する停止操作情報を、更に前記表示部に表示させる処理であり、前記プログラムは、前記制御部に、前記停止操作情報が前記表示部に表示されている状態で、前記警報装置が出力する警報音の停止を指示する停止指示を、前記操作部を介して取得する第五取得処理と、前記停止指示が取得された場合、前記停止指示を前記通信部から前記警報装置に送信させる第二送信処理と、を実行させる、ようにしてもよい。この構成によれば、停止操作情報の表示部への表示に応じて停止指示を取得し、停止指示を警報装置に送信することができる。従って、警報装置で出力中の警報音を、端末装置から停止させることができる。警報音が鳴り続ける状態を回避することができる。例えば、火災感知器が誤作動した場合、警報音を容易に停止させることができる。
【０００９】
前記第三表示処理は、前記火災場所情報が取得された場合、前記建物に設置された火災通報装置から前記建物の所在地を管轄する消防機関への緊急通報の実行に対応する緊急通報操作情報を、更に前記表示部に表示させる処理であり、前記プログラムは、前記制御部に、前記緊急通報操作情報が前記表示部に表示されている状態で、前記火災通報装置での緊急通報の実行を指示する通報指示を、前記操作部を介して取得する第六取得処理と、前記通報指示が取得された場合、前記通報指示を前記通信部から前記火災通報装置に送信させる第三送信処理と、を実行させる、ようにしてもよい。この構成によれば、緊急通報操作情報の表示部への表示に応じて通報指示を取得し、通報指示を火災通報装置に送信することができる。従って、火災通報装置から消防機関への緊急通報を、端末装置から実行させることができる。迅速な緊急通報が可能となる。
【００１０】
前記第一表示処理は、前記建物に設置された防火扉と非常階段と消化器と消火栓のうちの少なくとも１つを含む防災設備を示す設備情報と、前記火災感知場所からの避難経路を示す経路情報と、の一方又は両方を含む前記フロアマップを、前記表示部に表示させる処理である、ようにしてもよい。この構成によれば、設備情報及び／又は避難経路を含むフロアマップを表示することができる。端末装置のユーザは、表示部に表示されるフロアマップに基づき、防災設備の種類と位置及び／又は避難経路を理解することができる。
【００１１】
本発明の他の側面は、建物で発生した火災を自動で報知する前記建物に設置される火災報知システムに含まれる端末装置であって、通信部と、前記建物に設置された火災感知器で火災の発生が感知された場合、火災を感知した前記火災感知器が設置された火災感知場所を示す火災場所情報を、前記通信部を介して取得する第一取得処理部と、表示部と、前記火災場所情報が取得された場合、前記火災感知場所を含む前記建物のフロアマップを、前記表示部に表示させる第一表示処理部と、操作部と、前記フロアマップが前記表示部に表示されている状態で、前記フロアマップ内の前記建物の所定の場所を指定するエリア指示を、前記操作部を介して取得する第二取得処理部と、前記エリア指示が取得された場合、前記所定の場所に居る被災者の人数の特定に対応する被災情報を、前記表示部に表示させる第二表示処理部と、前記被災情報が前記表示部に表示されている状態で、前記被災者の人数を示す被災者値を、前記操作部を介して取得する第三取得処理部と、前記被災者値が取得された場合、前記被災者値と、前記所定の場所を示す指定場所情報と、を含む救助情報を、前記通信部から前記被災者値と前記指定場所情報とを記憶可能なサーバ機能を有する記憶装置に送信させる第一送信処理部と、を備える端末装置である。
【００１２】
本発明の更に他の側面は、通信可能な火災受信装置と端末装置とを含み、建物で発生した火災を自動で報知する前記建物に設置される火災報知システムであって、前記火災受信装置は、前記建物に設置された火災感知器で火災の発生が感知された場合、火災を感知した前記火災感知器が設置された火災感知場所を示す火災場所情報を送信する第一通信部を備え、前記端末装置は、第二通信部と、前記火災場所情報を、前記第二通信部を介して取得する第一取得処理部と、表示部と、前記火災場所情報が取得された場合、前記火災感知場所を含む前記建物のフロアマップを、前記表示部に表示させる第一表示処理部と、操作部と、前記フロアマップが前記表示部に表示されている状態で、前記フロアマップ内の前記建物の所定の場所を指定するエリア指示を、前記操作部を介して取得する第二取得処理部と、前記エリア指示が取得された場合、前記所定の場所に居る被災者の人数の特定に対応する被災情報を、前記表示部に表示させる第二表示処理部と、前記被災情報が前記表示部に表示されている状態で、前記被災者の人数を示す被災者値を、前記操作部を介して取得する第三取得処理部と、前記被災者値が取得された場合、前記被災者値と、前記所定の場所を示す指定場所情報と、を含む救助情報を、前記第二通信部から前記被災者値と前記指定場所情報とを記憶可能なサーバ機能を有する記憶装置に送信させる第一送信処理部と、を備える、火災報知システムである。
【００１３】
この端末装置及びこの火災報知システムによれば、火災感知器で火災の発生が感知された場合、火災感知場所を含むフロアマップを表示部に表示することができる。端末装置のユーザは、表示部に表示されるフロアマップに基づき、火災への対応を検討することができる。フロアマップの表示に応じてエリア指示を取得し、被災情報を表示部に表示することができる。そして、被災情報の表示に応じて被災者値を取得し、救助情報を記憶装置に送信することができる。これに伴い、記憶装置にアクセスすることで、複数の者が、被災者の人数と被災者が居る場所を共有することができる。円滑な救助活動が可能となる。この端末装置又はこの火災報知システムにおける端末装置は、上記の各プログラムの所定の処理に対応する構成を備える端末装置として特定することもできる。この場合、端末装置又は火災報知システムは、上記の各プログラムのうち、対応するプログラムと同様の作用を奏する。
【発明の効果】
【００１４】
本発明によれば、火災が発生し又は火災が発生した可能性のある場合に迅速な対応を可能とする、端末装置用のプログラムと端末装置と火災報知システムを得ることができる。
【図面の簡単な説明】
【００１５】
【図１】火災報知システムと火災報知システムが設置された建物の概略構成の一例を示す図である。
【図２】端末装置で実行されるメイン処理の第一部分のフローチャートである。
【図３】メイン処理の第二部分のフローチャートである。
【図４】メイン処理の第三部分のフローチャートである。
【図５】メイン処理で端末装置に表示される画面の一例を示す図である。上段は、火災情報画面の一例を示す。下段は、上段に示す火災情報画面が表示されている状態で、マップ表示ボタンが押下された場合に表示されるフロアマップ画面の一例を示す。
【図６】メイン処理で端末装置に表示される被災情報画面の一例を示す図である。図６に示す被災情報画面は、図５下段に示すフロアマップ画面が表示されている状態で、２階Ｄ号室の所定の位置が押下された場合に対応する。
【発明を実施するための形態】
【００１６】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１７】
＜火災報知システム及び建物の全体構成＞
火災報知システム１及び建物２の全体構成について、図１を参照して説明する。火災報知システム１は、火災感知器７０と警報装置８０と火災通報装置９０と共に建物２に設置される。火災報知システム１は、火災感知器７０と警報装置８０と火災通報装置９０と共に建物２の防災システムを構築する。建物２としては、公共施設及び商業施設といった各種の施設が例示される。各種の施設には、例えば、介護施設と病院と学校とオフィスと店舗と工場が含まれる。この他、建物２としては、ビル及びマンションが例示される。即ち、実施形態で対象とされる建物２には、各種の建物が含まれる。建物２には、ネットワーク３が設置されている。ネットワーク３としては、ＬＡＮ（Local Area Network）が例示される。ネットワーク３に接続された各装置は、ネットワーク３を介して通信可能に接続される。ネットワーク３は、ゲートウェイ装置を介して、インターネット４に接続されている。図１では、ゲートウェイ装置の図示は、省略されている。火災報知システム１は、火災受信装置１０と端末装置２０を含み、建物２で発生した火災を自動で報知する。
【００１８】
火災受信装置１０は、火災受信機１１と、第一シーケンサ１２を含む。火災受信装置１０では、火災受信機１１と第一シーケンサ１２は、所定の通信ケーブルによって有線接続される。但し、火災受信機１１と第一シーケンサ１２の接続は、無線接続であってもよい。火災受信機１１は、火災感知器７０と通信可能に接続される。火災受信機１１は、後述する警報装置８０の警報出力機８１と通信可能に接続される。火災受信機１１と火災感知器７０の接続は、有線接続とされる。火災受信機１１と警報出力機８１の接続は、有線接続とされる。但し、火災受信機１１と火災感知器７０の接続及び／又は火災受信機１１と警報出力機８１の接続は、無線接続としてもよい。これにより、火災受信装置１０は、火災感知器７０と警報装置８０と通信することができる。
【００１９】
第一シーケンサ１２は、例えば、ＣＰＵ１３と、ＲＯＭ（フラッシュメモリ）と、ＲＡＭと、通信部１４を備える。図１では、ＲＯＭ及びＲＡＭの図示は、省略されている。ＣＰＵ１３は、ＲＡＭを用いてＲＯＭに記憶されたプログラムを実行する。ＣＰＵ１３は、第一シーケンサ１２を制御する制御部を構成する。通信部１４は、第一シーケンサ１２をネットワーク３に接続し、ネットワーク３を介した通信を行う。これにより、火災受信装置１０は、通信部１４を介して、サーバ装置６０と通信することができる。火災受信装置１０では、火災場所情報が、通信部１４からサーバ装置６０に送信される。この点に関する説明は、後述する。火災場所情報についても、後述する。火災受信機１１としては、公知の火災受信機が用いられる。公知の火災受信機は、例えば、Ｐ型（１級及び２級）とＲ型とＧＲ型に分類される。更に、火災受信機としては、自動試験機能付きＰ型受信機も知られている。火災受信機１１の型式は、諸事情を考慮して適宜決定される。第一シーケンサ１２は、ハードウェア的には公知のシーケンサと同じであり、公知のシーケンサを用いて構成することができる。従って、火災受信機１１及び第一シーケンサ１２に関するこの他の説明は、適宜省略する。
【００２０】
端末装置２０は、ネットワーク３を介した通信機能を有する情報処理装置である。端末装置２０は、例えば、携帯型の情報処理装置である。携帯型の情報処理装置としては、タブレット端末、スマートフォン又はノートパソコンが例示される。実施形態では、端末装置２０は、タブレット端末とする。端末装置２０のネットワーク３への接続は、無線接続とされている。無線接続としては、無線ＬＡＮ通信による接続が例示される。端末装置２０は、ハードウェア的には、公知のタブレット端末と同じである。端末装置２０に関するこの他の説明は、後述する。
【００２１】
サーバ装置６０は、ネットワーク３に接続される。サーバ装置６０は、ネットワーク３に接続された、第一シーケンサ１２と端末装置２０と後述する警報装置８０の第二シーケンサ８２と後述する火災通報装置９０の第三シーケンサ９２と通信することができる。例えば、サーバ装置６０は、上述した第一シーケンサ１２からの火災場所情報を記憶し、端末装置２０からの要求に応じて、火災場所情報を送信する。更に、サーバ装置６０は、例えば、インターネット４上のクラウドサーバ５と通信することができる。サーバ装置６０は、ハードウェア的には、公知のサーバ装置と同じである。
【００２２】
火災感知器７０は、火災の発生を感知する。火災感知器７０は、火災を感知した場合、火災信号を送信する。火災感知器７０からの火災信号は、火災受信機１１で受信される。火災感知器７０は、建物２に複数設置される。建物２が複数階建てのビルである場合、火災感知器７０は、各階に所定数設置される。図１に示すように建物２が、各階の部屋数が３部屋である３階建てのビルであるとする。この場合、火災感知器７０は、例えば、各階の各部屋に設置される。火災感知器７０は、部屋とは異なる建物２の場所に設置されることもある。例えば、火災感知器７０は、通路のような場所に設置される。この他、火災感知器７０が設置される建物２の場所としては、建物２に隣接する場所が例示される。火災感知器７０としては、公知の火災感知器が採用される。従って、火災感知器７０に関するこの他の説明は、適宜省略する。
【００２３】
警報装置８０は、警報出力機８１と、第二シーケンサ８２を含む。警報装置８０では、警報出力機８１と第二シーケンサ８２が通信可能に接続される。例えば、警報出力機８１と第二シーケンサ８２は、所定の通信ケーブルによって有線接続される。但し、警報出力機８１と第二シーケンサ８２の接続は、無線接続であってもよい。警報出力機８１は、警報音を鳴動させる装置である。警報出力機８１としては、非常用放送設備及び地区音響装置（非常ベル）が例示される。警報出力機８１が非常用放送設備である場合、警報音は、音声警報音であり、建物２に設置されたスピーカから出力される。図１では、スピーカの図示は、省略されている。警報出力機８１が地区音響装置である場合、警報音は、地区音響装置が出力する鳴動音（ベル音）である。火災受信装置１０では、火災受信機１１で火災信号が受信された場合、火災受信機１１から警報出力機８１に、鳴動指示が送信される。警報出力機８１は、鳴動指示が受信された場合、建物２内に警報音を出力する。
【００２４】
第二シーケンサ８２は、例えば、ＣＰＵと、ＲＯＭ（フラッシュメモリ）と、ＲＡＭと、通信部を備える。これら各部は、第一シーケンサ１２が備える上述した各部と同様である。図１では、第二シーケンサ８２が備える各部の図示は、省略されている。警報装置８０は、第二シーケンサ８２の通信部を介して、サーバ装置６０と通信することができる。警報装置８０では、停止指示が、第二シーケンサ８２の通信部で受信される。停止指示は、警報出力機８１で出力されている警報音を停止させる指示である。停止指示は、端末装置２０からサーバ装置６０を経由して第二シーケンサ８２に送信される。警報装置８０では、第二シーケンサ８２は、通信部で停止指示が受信された場合、停止指示を警報出力機８１に送信する。火災受信機１１も、警報出力機８１に停止信号を送信することができる。警報出力機８１は、停止信号が受信された場合、出力中の警報音を停止する。警報出力機８１としては、公知の非常用放送設備又は地区音響装置が用いられる。第二シーケンサ８２は、ハードウェア的には公知のシーケンサと同じであり、公知のシーケンサを用いて構成することができる。従って、警報出力機８１及び第二シーケンサ８２に関するこの他の説明は、適宜省略する。
【００２５】
火災通報装置９０は、火災通報機９１と、第三シーケンサ９２を含む。火災通報装置９０では、火災通報機９１と第三シーケンサ９２が通信可能に接続される。例えば、火災通報機９１と第三シーケンサ９２は、所定の通信ケーブルによって有線接続される。但し、火災通報機９１と第三シーケンサ９２の接続は、無線接続であってもよい。火災通報機９１は、公衆回線６を介して、建物２の所在地を管轄する消防機関７と繋がる。火災通報機９１は、消防機関７に緊急通報（１１９番通報）し、消防機関７と接続後、自動的に火災の発生と建物２に関わる所定の情報（例えば、建物２の名称及び住所）を音声出力する装置である。
【００２６】
第三シーケンサ９２は、例えば、ＣＰＵと、ＲＯＭ（フラッシュメモリ）と、ＲＡＭと、通信部を備える。これら各部は、第一シーケンサ１２が備える上述した各部と同様である。図１では、第三シーケンサ９２が備える各部の図示は、省略されている。火災通報装置９０は、第三シーケンサ９２の通信部を介して、サーバ装置６０と通信することができる。火災通報装置９０では、通報指示が、第三シーケンサ９２の通信部で受信される。通報指示は、火災通報機９１で緊急通報を実行させる指示である。通報指示は、端末装置２０からサーバ装置６０を経由して第三シーケンサ９２に送信される。火災通報装置９０では、第三シーケンサ９２は、通信部で通報指示が受信された場合、通報指示を火災通報機９１に送信する。火災通報機９１は、通報指示が受信された場合、消防機関７に緊急通報し、消防機関７と接続後、自動的に火災の発生と建物２に関わる所定の情報を音声出力する。火災通報機９１としては、公知の火災通報機が用いられる。第三シーケンサ９２は、ハードウェア的には公知のシーケンサと同じであり、公知のシーケンサを用いて構成することができる。従って、火災通報機９１及び第三シーケンサ９２に関するこの他の説明は、適宜省略する。第一シーケンサ１２と第二シーケンサ８２と第三シーケンサ９２は、ハードウェア的には同じシーケンサであってもよい。
【００２７】
＜端末装置＞
端末装置２０について、図１を参照して説明する。端末装置２０は、ＣＰＵ２１と、ＲＯＭ２２と、ＲＡＭ２３と、表示部２４と、操作部２５と、音出力部２６と、通信部２７を備える。ＣＰＵ２１は、演算処理を実行する。ＣＰＵ２１は、端末装置２０を制御する制御部を構成する。ＲＯＭ２２は、ＣＰＵ２１によって実行される各種処理のプログラムを記憶する。例えば、ＲＯＭ２２には、後述するメイン処理（図２〜図４参照）のプログラムが記憶される。ＲＯＭ２２には、表示部２４に表示される後述する各画面にそれぞれ対応する複数の画面データが記憶される。更に、ＲＯＭ２２には、建物２のフロアマップ４１（後述する図５下段参照）に対応するフロアマップデータが記憶される。フロアマップデータは、例えば、階毎にそれぞれ分割されたデータとされる。即ち、建物２が３階建てである場合（図１参照）、ＲＯＭ２２には、１階部分のフロアマップデータと２階部分のフロアマップデータと３階部分のフロアマップデータが記憶される。フロアマップデータに関するこの他の説明は、後述する。実施形態では、ＲＯＭ２２は、フラッシュメモリを含む。ＲＡＭ２３は、ＣＰＵ２１が各種のプログラムを実行する際に用いられる記憶領域となる。ＲＡＭ２３には、処理の実行途中に、処理で用いられる所定のデータが記憶される。端末装置２０では、ＣＰＵ２１がＲＯＭ２２に記憶されたメイン処理のプログラムを実行する等して、各種の処理が実行される。これに伴い、各種の処理部が構成される。
【００２８】
表示部２４は、所定の情報を含む各種の画面を表示する。表示部２４としては、液晶ディスプレイ又は有機ＥＬディスプレイが例示される。操作部２５は、端末装置２０に対する入力を受け付ける。操作部２５としては、タッチパッド、キーボード及びマウスが例示される。端末装置２０がタブレット端末である実施形態では、操作部２５は、タッチパッドとされる。表示部２４と操作部２５は、一体化されてタッチパネルを構成する。タッチパネルでは、タッチパッドによる操作部２５は、端末装置２０のユーザの指又はこのユーザが手にしたタッチペンが接した位置を示す２次元の座標位置（Ｘ座標値及びＹ座標値）を出力する。ＣＰＵ２１は、操作部２５から出力された座標位置を取得する。このような技術は、公知のタブレット端末等で採用された公知の技術である。そのため、これに関するこの他の説明は、省略する。実施形態では、端末装置２０のユーザを、「警備員」という。音出力部２６は、所定の音を出力する。音出力部２６は、ヘッドフォン又はイヤホンとの接続部と、スピーカを含む。
【００２９】
通信部２７は、端末装置２０をネットワーク３に接続し、ネットワーク３を介した通信を行う。端末装置２０がネットワーク３に無線接続される実施形態では、通信部２７は、無線ＬＡＮ通信に対応する。端末装置２０では、通信部２７を介してサーバ装置６０との間で各種のデータが送受信される。端末装置２０は、メイン処理のプログラムがＲＯＭ２２に記憶されている点が公知の端末装置と相違する。但し、端末装置２０は、ハードウェア的には、公知のタブレット端末と同じである。従って、端末装置２０は、上述した各部の他、公知のタブレット端末が備える構成を備える。このことは、端末装置２０がタブレット端末とは異なる通信機能を有する情報処理装置である場合も同様である。
【００３０】
＜メイン処理＞
端末装置２０で実行されるメイン処理について、図２〜図４を参照して説明する。メイン処理の説明は、次のような状態を前提とする。即ち、火災を感知した火災感知器７０は、２階Ｅ号室に設置された火災感知器７０と、３階Ｈ号室に設置された火災感知器７０とする。火災受信機１１は、火災が感知された場所（２階Ｅ号室及び３階Ｈ号室）を個々に特定可能な型式とする。実施形態では、火災が感知された場所を、「火災感知場所」という。火災感知場所を示す情報を、「火災場所情報」という。火災受信装置１０では、火災受信機１１で、２階Ｅ号室の火災感知器７０からの火災信号が受信され、３階Ｈ号室の火災感知器７０からの火災信号が受信される。火災受信装置１０では、火災場所情報としての２階Ｅ号室と３階Ｈ号室が、火災受信機１１から第一シーケンサ１２に送信され、第一シーケンサ１２は、２階Ｅ号室と３階Ｈ号室を受信する。第一シーケンサ１２では、ＣＰＵ１３は、受信された２階Ｅ号室と３階Ｈ号室を送信させる。これに伴い、２階Ｅ号室と３階Ｈ号室が、通信部１４からサーバ装置６０に送信される。サーバ装置６０は、２階Ｅ号室と３階Ｈ号室を受信する。サーバ装置６０では、２階Ｅ号室と３階Ｈ号室が、識別番号に関連付けられた状態でそれぞれ記憶される（図１参照）。
【００３１】
メイン処理を開始させたＣＰＵ２１は、送信要求を送信させる（Ｓ１１）。送信要求は、サーバ装置６０に記憶された火災場所情報の送信を要求する指示である。ＣＰＵ２１は、送信要求の送信指令を通信部２７に出力する。これに伴い、送信要求が、通信部２７からサーバ装置６０に送信される。サーバ装置６０では、送信要求が受信される。サーバ装置６０は、火災場所情報が記憶されている場合、火災場所情報を送信する。サーバ装置６０は、火災場所情報が記憶されていない場合、送信要求に対する応答を送信しない。但し、サーバ装置６０は、火災場所情報が記憶されていない場合、火災場所情報が記憶されていないことを示す応答を送信するようにしてもよい。実施形態では、サーバ装置６０に、火災場所情報として２階Ｅ号室（識別番号：１）と３階Ｈ号室（識別番号：２）が記憶されている。従って、サーバ装置６０は、火災場所情報「２階Ｅ号室」及び「３階Ｈ号室」を送信する。このとき、火災場所情報には、識別番号が関連付けられる。識別番号は、各火災場所情報を識別する通し番号である。図１では、識別番号は、「Ｎｏ．」とされている。
【００３２】
Ｓ１１を実行した後、ＣＰＵ２１は、火災場所情報が取得されたか否かを判断する（Ｓ１３）。端末装置２０では、サーバ装置６０から送信された火災場所情報が、通信部２７で受信される。ＣＰＵ２１は、火災場所情報を通信部２７を介して取得する。Ｓ１１を実行した後、火災場所情報が予め定められた所定期間内に通信部２７を介して取得されない場合（Ｓ１３：Ｎｏ）、ＣＰＵ２１は、処理をＳ１１に戻し、再度、Ｓ１１を実行する。即ち、火災場所情報が取得されない場合（Ｓ１３：Ｎｏ）、端末装置２０では、送信要求が所定間隔毎に繰り返して送信される。火災場所情報が取得された場合（Ｓ１３：Ｙｅｓ）、ＣＰＵ２１は、取得された火災場所情報をＲＡＭ２３に記憶する（Ｓ１５）。このとき、火災場所情報には、火災場所情報に関連付けて送信される識別情報が関連付けられる。つまり、端末装置２０でも、サーバ装置６０と同様、ＲＡＭ２３に、識別番号「１」と火災場所情報「２階Ｅ号室」が関連付けて記憶され、識別番号「２」と火災場所情報「３階Ｈ号室」が関連付けて記憶される。火災場所情報の記憶先は、ＲＯＭ２２としてもよい。
【００３３】
次に、ＣＰＵ２１は、警報音を出力させる（Ｓ１７）。ＣＰＵ２１は、警報音に対応する音データを再生する。これに伴い、警報音が音出力部２６から出力される。続けて、ＣＰＵ２１は、火災情報画面を表示させる（Ｓ１９）。ＣＰＵ２１は、ＲＡＭ２３に記憶された火災場所情報のうちの１個を特定する。例えば、メイン処理を開始させた後、最初に実行されるＳ１９では、ＲＡＭ２３に記憶された火災場所情報のうち、識別番号が最小値の「１」である火災場所情報「２階Ｅ号室」が特定される。ＣＰＵ２１は、特定された火災場所情報を含む火災情報画面を生成する。火災情報画面は、ＲＯＭ２２に記憶されたこの画面に対応する画面データと、特定された火災場所情報を用いて生成される。続けて、ＣＰＵ２１は、生成された火災情報画面の表示指令を表示部２４に出力する。これに伴い、表示部２４には、火災場所情報を含む火災情報画面が表示される（図５上段参照）。図５上段に示す火災情報画面は、火災場所情報として、識別番号「１」に関連付けられた火災場所情報「２階Ｅ号室」が特定されている場合に対応した火災情報画面である。図５上段に示す火災情報画面では、火災場所情報は、階数と部屋名に分けて表示されている。
【００３４】
火災情報画面は、火災場所情報（階数及び部屋名）の他、火災感知数情報と、前ボタン３１と、次ボタン３２と、マップ表示ボタン３３と、緊急通報ボタン３４と、誤報登録ボタン３５と、消音ボタン３６と、終了ボタン３７を含む。火災感知数情報は、ＲＡＭ２３に記憶された火災場所情報の総数に対応する情報である。実施形態では、火災場所情報として表示されていない火災場所情報の数（火災感知数情報＝火災場所情報の総数−１）が表示される。例えば、ＲＡＭ２３に記憶された火災場所情報が２階Ｅ号室（識別番号：１）及び３階Ｈ号室（識別番号：２）である場合、火災感知数情報は、火災場所情報の総数「２件」から表示中の火災場所情報「２階Ｅ号室」を差し引いた「他  １件」となる。火災感知数情報は、火災場所情報の総数としてもよい。
【００３５】
前ボタン３１は、表示中の火災場所情報を、この火災場所情報の識別番号より、１つ小さな識別番号の火災場所情報へと切り替える切替指示に対応付けられる操作情報（操作ボタン）である。前ボタン３１は、表示中の火災場所情報が、最小の識別番号に関連付けられた火災場所情報である場合、非表示、又は操作不可の状態（例えば、グレーアウト状態）とするようにしてもよい。次ボタン３２は、表示中の火災場所情報を、この火災場所情報の識別番号より、１つ大きな識別番号の火災場所情報へと切り替える切替指示に対応付けられる操作情報である。次ボタン３２は、表示中の火災場所情報が、最大の識別番号に関連付けられた火災場所情報である場合、非表示、又は操作不可の状態（例えば、グレーアウト状態）とするようにしてもよい。
【００３６】
マップ表示ボタン３３は、フロアマップ指示に対応付けられた操作情報である。フロアマップ指示は、後述するフロアマップ４１を含むフロアマップ画面を表示させる指示である。緊急通報ボタン３４は、通報指示に対応付けられた操作情報である。誤報登録ボタン３５は、停止指示に対応付けられた操作情報である。消音ボタン３６は、消音指示に対応付けられた操作情報である。消音指示は、音出力部２６からの警報音の出力を停止させる指示である。終了ボタン３７は、終了指示に対応付けられた操作情報である。終了指示は、メイン処理を終了させる指示である。
【００３７】
Ｓ１９を実行した後、ＣＰＵ２１は、終了指示が取得されたか否かを判断する（Ｓ２１）。終了指示は、終了ボタン３７の押下によって入力される。終了ボタン３７の押下が操作部２５で受け付けられた場合、ＣＰＵ２１は、終了指示を取得する。終了指示が取得された場合（Ｓ２１：Ｙｅｓ）、ＣＰＵ２１は、メイン処理を終了する。終了指示が取得されていない場合（Ｓ２１：Ｎｏ）、ＣＰＵ２１は、切替指示が取得されたか否かを判断する（Ｓ２３）。切替指示は、前ボタン３１又は次ボタン３２の押下によって入力される。前ボタン３１の押下が操作部２５で受け付けられた場合、ＣＰＵ２１は、表示中の火災場所情報を、この火災場所情報の識別番号より、１つ小さな識別番号の火災場所情報へと切り替える切替指示を取得する。次ボタン３２の押下が操作部２５で受け付けられた場合、ＣＰＵ２１は、表示中の火災場所情報を、この火災場所情報の識別番号より、１つ大きな識別番号の火災場所情報へと切り替える切替指示を取得する。
【００３８】
切替指示が取得された場合（Ｓ２３：Ｙｅｓ）、ＣＰＵ２１は、処理をＳ１９に戻し、表示中の火災情報画面を、取得された切替指示に応じた火災場所情報を含む火災情報画面に切り替える。表示中の火災情報画面が図５上段に示す状態で次ボタン３２が押下されたことが操作部２５で受け付けられ、ＣＰＵ２１が、１つ大きな識別番号の火災場所情報へと切り替える切替指示を取得したとする。この場合、ＣＰＵ２１は、ＲＡＭ２３に記憶された識別番号「２」に関連付けられた火災場所情報「３階Ｈ号室」を特定し、火災場所情報「３階Ｈ号室」を含む火災情報画面を生成する。続けて、ＣＰＵ２１は、生成された火災情報画面の表示指令を表示部２４に出力する。これに伴い、表示部２４に表示される火災情報画面は、図５上段に示す状態から、階数が「３階」で部屋名が「Ｈ号室」とされた火災情報画面へと切り替えられる。切替指示が取得されていない場合（Ｓ２３：Ｎｏ）、ＣＰＵ２１は、処理を図３のＳ２５に移行する。
【００３９】
図３のＳ２５でＣＰＵ２１は、フロアマップ指示が取得されたか否かを判断する。フロアマップ指示は、マップ表示ボタン３３の押下によって入力される。マップ表示ボタン３３の押下が操作部２５で受け付けられた場合、ＣＰＵ２１は、フロアマップ指示を取得する。フロアマップ指示が取得されていない場合（Ｓ２５：Ｎｏ）、ＣＰＵ２１は、処理を図４のＳ４１に移行する。フロアマップ指示が取得された場合（Ｓ２５：Ｙｅｓ）、ＣＰＵ２１は、フロアマップ画面を表示させる（Ｓ２７）。ＣＰＵ２１は、フロアマップ画面に対応する画面データとフロアマップデータをＲＯＭ２２から取得する。取得されるフロアマップデータは、表示中の火災情報画面に含まれる火災場所情報が示す火災感知場所を含むフロアマップデータである。ＣＰＵ２１は、表示中の火災情報画面に含まれる火災場所情報と取得されたフロアマップデータに対応するフロアマップ４１を含むフロアマップ画面を生成する。フロアマップ画面は、取得された画面データ及びフロアマップデータと、表示中の火災情報画面に含まれる火災場所情報を用いて生成される。続けて、ＣＰＵ２１は、生成されたフロアマップ画面の表示指令を表示部２４に出力する。これに伴い、表示部２４では、フロアマップ画面が表示される（図５下段参照）。このようにして表示されるフロアマップ画面は、フロアマップ画面の表示直前に表示されていた火災情報画面に含まれる火災場所情報が示す火災感知場所を含む建物２のフロアマップ４１を含む（図５参照）。
【００４０】
実施形態では、火災感知場所を含む建物２のフロアマップ４１は、火災感知場所と同一階のフロア全体としている。但し、火災感知場所を含む建物２のフロアマップ４１は、火災感知場所と同一階のフロア全体のうちの火災感知場所を含む一部の範囲としてもよい。更に、火災感知場所を含む建物２のフロアマップ４１は、建物２全体のフロアマップとしてもよい。フロアマップ４１として表示される建物２内の範囲は、諸条件を考慮して適宜決定される。フロアマップ画面内のフロアマップ４１に含まれる建物２内の各場所には、その場所を示す場所情報が関連付けられる。図５下段に基づけば、２階Ｄ号室が表示されている表示領域には、場所情報「２階Ｄ号室」が関連付けられ、２階Ｅ号室が表示されている表示領域には、場所情報「２階Ｅ号室」が関連付けられ、２階Ｆ号室が表示されている表示領域には、場所情報「２階Ｆ号室」が関連付けられる。各部屋の表示領域は、例えば、２次元の各座標位置（Ｘ座標値及びＹ座標値）によって特定される。場所情報が関連付けられる建物２内の場所は、部屋以外の表示領域であってもよい。
【００４１】
フロアマップ画面では、フロアマップ４１に、建物２に設置された防災設備を示す設備情報４２が含められる。防災設備としては、防火扉と非常階段と消化器が例示される（図５下段参照）。この他、図５下段では図示が省略されているが、防災設備としては、消火栓が例示される。フロアマップ画面では、フロアマップ４１に、火災感知場所から安全な場所への避難経路を示す経路情報４３が含められる。経路情報４３は、矢印によって示される（図５下段参照）。但し、経路情報４３は、避難経路を明示する情報であれば、矢印とは異なる態様（例えば、文字）であってもよい。フロアマップ画面では、設備情報４２及び／又は経路情報４３を、他の部分と色分けし及び／又は点滅させるようにしてもよい。図５下段では図示が省略されているが、フロアマップ画面では、更に、警備員が実施すべき作業の対応手順を表示するようにしてもよい。警備員は、設備情報４２によって防災設備の種類及び位置を理解し、経路情報４３によって避難経路を理解し、更に、実施すべき作業の対応手順を認識することができる。そして、警備員は、初期消火活動及び／又は避難誘導活動を行うことができる。フロアマップ画面は、フロアマップ４１と設備情報４２と経路情報４３の他、階数情報４４と、アラート情報４５と、戻るボタン４６を含む。階数情報４４は、表示対象のフロアマップ４１の建物２における位置を示す情報であって、階数を示す。アラート情報４５は、火災感知場所を、他の場所と区別するための情報である。実施形態では、アラート情報４５は、枠線とされている。図５に示すフロアマップ画面では、火災感知場所としての２階Ｅ号室を示す文字「Ｅ号室」が、アラート情報４５としての枠線によって囲まれ、他の場所と区別されている。アラート情報４５及び／又は火災感知場所を示す文字（図５下段では、「Ｅ号室」参照）についても、他の部分と色分けし及び／又は点滅させるようにしてもよい。戻るボタン４６は、第一戻る指示に対応付けられた操作情報である。第一戻る指示は、フロアマップ画面の表示直前に表示されていた火災情報画面を表示させる指示である。
【００４２】
Ｓ２７を実行した後、ＣＰＵ２１は、第一戻る指示が取得されたか否かを判断する（Ｓ２９）。第一戻る指示は、戻るボタン４６の押下によって入力される。戻るボタン４６の押下が操作部２５で受け付けられた場合、ＣＰＵ２１は、第一戻る指示を取得する。第一戻る指示が取得された場合（Ｓ２９：Ｙｅｓ）、ＣＰＵ２１は、処理を図２のＳ１９に戻す。Ｓ１９でＣＰＵ２１は、フロアマップ画面の表示直前に表示されていた火災情報画面を表示させる。第一戻る指示が取得されていない場合（Ｓ２９：Ｎｏ）、ＣＰＵ２１は、エリア指示が取得されたか否かを判断する（Ｓ３１）。エリア指示は、フロアマップ画面が表示されている状態で、フロアマップ４１内の所定の場所を指定する指示である。例えば、図５下段に示すフロアマップ画面が表示されている状態で、フロアマップ４１内のＤ号室の領域内への押下が操作部２５で受け付けられた場合、ＣＰＵ２１は、操作部２５から出力される座標位置をエリア指示として取得する。
【００４３】
エリア指示が取得されていない場合（Ｓ３１：Ｎｏ）、ＣＰＵ２１は、処理をＳ２９に戻し、再度、Ｓ２９を実行する。エリア指示が取得された場合（Ｓ３１：Ｙｅｓ）、ＣＰＵ２１は、被災情報画面を表示させる（Ｓ３３）。ＣＰＵ２１は、エリア指示として取得された座標位置と、フロアマップ４１に含まれる建物２内の各場所の表示領域の座標位置から、エリア指示が示す建物２内の場所を示す場所情報を特定する。例えば、図５下段に示すフロアマップ画面が表示されている状態で、フロアマップ４１内のＤ号室の領域内への押下が操作部２５で受け付けられた場合、ＣＰＵ２１は、エリア指示として取得された座標位置と、フロアマップ４１に含まれる建物２内の各場所の表示領域の座標位置から、場所情報「２階Ｄ号室」を特定する。実施形態では、エリア指示の取得に伴い特定される場所情報を、「指定場所情報」という。ＣＰＵ２１は、特定された指定場所情報を含む被災情報画面を生成する。被災情報画面は、ＲＯＭ２２に記憶されたこの画面に対応する画面データと指定場所情報を用いて生成される。ＣＰＵ２１は、被災情報画面の表示指令を表示部２４に出力する。これに伴い、表示部２４では、被災情報画面が表示される（図６参照）。
【００４４】
被災情報画面は、指定場所情報の他、テンキー５１と、入力ボックス５２と、確定ボタン５３と、戻るボタン５４を含む。被災情報画面では、指定場所情報が示す建物２内の場所に居る被災者の人数の入力が受け付けられる。テンキー５１は、被災者の人数を入力する際に用いられる。警備員は、テンキー５１を押下して、被災者の人数を入力する。入力ボックス５２には、テンキー５１に含まれる所定の数値キーの押下が操作部２５で受け付けられた場合、受け付けられた数値が表示される。確定ボタン５３は、確定指示に対応付けられた操作情報である。確定指示は、入力ボックス５２に表示された数値を確定値とする指示である。確定ボタン５３は、入力ボックス５２に数値が表示されていない場合、非表示、又は操作不可の状態（例えば、グレーアウト状態）とするようにしてもよい。戻るボタン５４は、第二戻る指示に対応付けられた操作情報である。第二戻る指示は、被災情報画面の表示直前に表示されていたフロアマップ画面を表示させる指示である。
【００４５】
Ｓ３３を実行した後、ＣＰＵ２１は、第二戻る指示が取得されたか否かを判断する（Ｓ３５）。第二戻る指示は、戻るボタン５４の押下によって入力される。戻るボタン５４の押下が操作部２５で受け付けられた場合、ＣＰＵ２１は、第二戻る指示を取得する。第二戻る指示が取得された場合（Ｓ３５：Ｙｅｓ）、ＣＰＵ２１は、処理をＳ２７に戻す。Ｓ２７でＣＰＵ２１は、直前に表示されていたフロアマップ画面を表示させる。第二戻る指示が取得されていない場合（Ｓ３５：Ｎｏ）、ＣＰＵ２１は、確定指示が取得されたか否かを判断する（Ｓ３７）。警備員は、テンキー５１を押下し、被災者の人数を入力する。テンキー５１に含まれる所定の数値キーの押下が操作部２５で受け付けられた場合、ＣＰＵ２１は、操作部２５から出力される数値を取得し、取得された数値を入力ボックス５２に表示させる。その後、警備員は、確定ボタン５３を押下する。確定ボタン５３の押下が操作部２５で受け付けられた場合、ＣＰＵ２１は、確定指示を取得する。このとき、ＣＰＵ２１は、入力ボックス５２に表示されている数値を被災者値として取得し、更に、表示中の被災情報画面に含まれる指定場所情報を取得する。
【００４６】
確定指示が取得されていない場合（Ｓ３７：Ｎｏ）、ＣＰＵ２１は、処理をＳ３５に戻し、再度、Ｓ３５を実行する。確定指示が取得された場合（Ｓ３７：Ｙｅｓ）、ＣＰＵ２１は、救助情報を送信させる（Ｓ３９）。救助情報には、確定指示と共に取得される、被災者値と指定場所情報が含められる。救助情報の送信先は、サーバ装置６０とされる。ＣＰＵ２１は、救助情報の送信指令を通信部２７に出力する。これに伴い、救助情報が、通信部２７からサーバ装置６０に送信される。サーバ装置６０では、救助情報が受信される。サーバ装置６０では、受信された救助情報が記憶される。即ち、サーバ装置６０では、受信された救助情報に含まれる被災者値と指定場所情報が、関連付けて記憶される。
【００４７】
Ｓ３９を実行した後、ＣＰＵ２１は、処理を図２のＳ１９に戻す。その後、ＣＰＵ２１は、再度、Ｓ１９以降の処理を実行する。この場合、Ｓ１９で表示される火災情報画面は、前回実行されたＳ１９で表示された火災情報画面と同じ火災場所情報を含む画面とされる。但し、複数の火災場所情報がＲＡＭ２３に記憶されている場合、Ｓ３９の実行後のＳ１９では、前回実行されたＳ１９で表示された火災情報画面とは異なる火災場所情報を含む火災情報画面を表示するようにしてもよい。何れの火災情報画面を表示させるかは、諸事情を考慮して適宜決定される。
【００４８】
図４のＳ４１でＣＰＵ２１は、通報指示が取得されたか否かを判断する。通報指示は、火災情報画面（図５上段参照）内の緊急通報ボタン３４の押下によって入力される。警備員は、例えば、火災情報画面に含まれる火災場所情報に従い、この火災場所情報が示す火災感知場所又はその近傍に移動する。警備員は、火災の発生を確認できた場合、緊急通報ボタン３４を押下する。緊急通報ボタン３４の押下が操作部２５で受け付けられた場合、ＣＰＵ２１は、通報指示を取得する。通報指示が取得された場合（Ｓ４１：Ｙｅｓ）、ＣＰＵ２１は、通報指示を送信させる（Ｓ４３）。通報指示の送信先は、サーバ装置６０とされる。ＣＰＵ２１は、通報指示の送信指令を通信部２７に出力する。これに伴い、通報指示が、通信部２７からサーバ装置６０に送信される。サーバ装置６０では、通報指示が受信される。サーバ装置６０は、受信された通報指示を第三シーケンサ９２に送信する。その後、火災通報装置９０では、上述した通り、消防機関７への緊急通報が実行される。Ｓ４３を実行した後、ＣＰＵ２１は、メイン処理を終了する。
【００４９】
通報指示が取得されていない場合（Ｓ４１：Ｎｏ）、ＣＰＵ２１は、停止指示が取得されたか否かを判断する（Ｓ４５）。停止指示は、誤報登録ボタン３５の押下によって入力される。警備員は、例えば、火災情報画面に含まれる火災場所情報に従い、この火災場所情報が示す火災感知場所又はその近傍に移動する。警備員は、火災の発生を確認できない場合、誤報登録ボタン３５を押下する。誤報登録ボタン３５の押下が操作部２５で受け付けられた場合、ＣＰＵ２１は、停止指示を取得する。停止指示が取得されていない場合（Ｓ４５：Ｎｏ）、ＣＰＵ２１は、処理をＳ５３に移行する。停止指示が取得された場合（Ｓ４５：Ｙｅｓ）、ＣＰＵ２１は、ＲＡＭ２３に記憶された火災場所情報のうち、表示中の火災情報画面に含まれる火災場所情報に一致する火災場所情報に関連付けて取得済み情報を記憶する（Ｓ４７）。
【００５０】
次に、ＣＰＵ２１は、ＲＡＭ２３に記憶された全ての火災場所情報に対して取得済み情報が関連付けて記憶されているか否かを判断する（Ｓ４９）。ＲＡＭ２３に記憶された全ての火災場所情報に対して取得済み情報が関連付けて記憶されていない場合（Ｓ４９：Ｎｏ）、ＣＰＵ２１は、処理を図２のＳ１９に戻す。その後、ＣＰＵ２１は、再度、Ｓ１９以降の処理を実行する。この場合、Ｓ１９で表示される火災情報画面は、ＲＡＭ２３で取得済み情報が関連付けられていない火災場所情報を含む火災情報画面とするとよい。取得済み情報が関連付けられた火災場所情報が示す火災感知場所では、火災が発生していないことが確認されており、緊急事態において、このような火災感知場所が、再度、確認等の対象となることを防止することができる。
【００５１】
ＲＡＭ２３に記憶された全ての火災場所情報に対して取得済み情報が関連付けて記憶されている場合（Ｓ４９：Ｙｅｓ）、ＣＰＵ２１は、停止指示を送信させる（Ｓ５１）。送信先は、サーバ装置６０とされる。ＣＰＵ２１は、停止指示の送信指令を通信部２７に出力する。これに伴い、停止指示が、通信部２７からサーバ装置６０に送信される。サーバ装置６０では、停止指示が受信される。サーバ装置６０は、受信された停止指示を第二シーケンサ８２に送信する。その後、警報装置８０では、上述した通り、警報出力機８１で出力中の警報音が停止される。Ｓ５１を実行した後、ＣＰＵ２１は、メイン処理を終了する。ＲＡＭ２３に記憶された火災場所情報が１個である場合、Ｓ４９は、常に肯定（Ｓ４９：Ｙｅｓ）される。
【００５２】
Ｓ５３でＣＰＵ２１は、消音指示が取得されたか否かを判断する。消音指示は、消音ボタン３６の押下によって入力される。警備員は、音出力部２６からの警報音の出力を停止させる場合、消音ボタン３６を押下する。消音ボタン３６の押下が操作部２５で受け付けられた場合、ＣＰＵ２１は、消音指示を取得する。消音指示が取得された場合（Ｓ５３：Ｙｅｓ）、ＣＰＵ２１は、警報音に対応する音データの再生を停止する（Ｓ５５）。これに伴い、音出力部２６からの警報音の出力が停止される。Ｓ５５を実行した後、ＣＰＵ２１は、処理を図２のＳ２１に戻し、再度、Ｓ２１以降の処理を実行する。
【００５３】
＜実施形態の効果＞
実施形態によれば、次のような効果を得ることができる。
【００５４】
（１）端末装置２０では、火災場所情報が取得されると、警報音が出力され、火災場所情報を含む火災情報画面が表示される（図２のＳ１３：Ｙｅｓ、Ｓ１７、Ｓ１９及び図５上段参照）。取得された火災場所情報は、ＲＡＭ２３に記憶される（図２のＳ１５参照）。端末装置２０では、火災情報画面が表示されている状態で警備員によってマップ表示ボタン３３が押下されると、フロアマップ指示が取得され、フロアマップ画面が表示される（図３のＳ２５：Ｙｅｓ、Ｓ２７及び図５下段参照）。フロアマップ画面は、火災情報画面に含まれる火災場所情報が示す火災感知場所を含むフロアマップ４１を含む。そのため、音出力部２６からの警報音によって、火災の発生又は火災が発生した可能性があることを、警備員に報知することができる。警備員は、火災情報画面の火災場所情報によって、火災感知場所を認識することができる。警備員は、火災感知場所を認識した状態で、フロアマップ画面を表示することができる。警備員は、フロアマップ画面内のフロアマップ４１に基づき、火災への対応を検討することができる。火災情報画面及びフロアマップ画面（図５参照）では、画面の背景色は、例えば、煙の中でも視認性に優れた色にするとよい。例えば、前述した各画面では、背景色は、ピンク色とされる。
【００５５】
（２）端末装置２０では、フロアマップ画面が表示されている状態で警備員によってフロアマップ４１に含まれる建物２内の所定の場所が押下されると、押下された場所に対応するエリア指示が取得され、指定場所情報が特定され、この指定場所情報を含む被災情報画面が表示される（図３のＳ３１：Ｙｅｓ、Ｓ３３及び図６参照）。端末装置２０では、被災情報画面が表示されている状態で警備員によって確定ボタン５３が押下されると、被災情報画面の表示に応じて入力される被災者値と指定場所情報が確定指示と共に取得され、被災者値と指定場所情報を含む救助情報が、サーバ装置６０に送信される（図３のＳ３７：Ｙｅｓ，Ｓ３９参照）。サーバ装置６０では、被災者値と指定場所情報が関連付けて記憶される。そのため、サーバ装置６０にアクセスすることで、複数の者が、被災者の人数と被災者が居る場所を共有することができる。円滑な救助活動が可能となる。被災情報画面（図６参照）では、画面の背景色は、火災情報画面及びフロアマップ画面と同様、例えば、煙の中でも視認性に優れた色（例えば、ピンク色）にするとよい。
【００５６】
（３）端末装置２０では、火災情報画面が表示されている状態で警備員によって緊急通報ボタン３４が押下されると、通報指示が取得され、通報指示が、火災通報装置９０に送信される（図４のＳ４１：Ｙｅｓ、Ｓ４３参照）。火災通報装置９０では、第三シーケンサ９２で通報指示が受信され、火災通報機９１から消防機関７への緊急通報が実行される。そのため、緊急通報を、端末装置２０から実行させることができる。迅速な緊急通報が可能となる。
【００５７】
（４）端末装置２０では、火災情報画面が表示されている状態で警備員によって誤報登録ボタン３５が押下されると、停止指示が取得され、ＲＡＭ２３に記憶された火災場所情報のうち、表示中の火災情報画面に含まれる火災場所情報に一致する火災場所情報に関連付けて取得済み情報が記憶される（図４のＳ４５：Ｙｅｓ、Ｓ４７参照）。そして、ＲＡＭ２３に記憶された全ての火災場所情報に対して取得済み情報が関連付けて記憶された場合、停止指示が警報装置８０に送信される（図４のＳ４９：Ｙｅｓ、Ｓ５１参照）。警報装置８０では、第二シーケンサ８２で停止指示が受信され、警報出力機８１で出力中の警報音が停止される。そのため、警報音が鳴り続ける状態を回避することができる。例えば、火災感知器７０が誤作動した場合、警報音を容易に停止させることができる。
【００５８】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は、適宜省略する。
【００５９】
（１）上記では、通報指示は、端末装置２０からサーバ装置６０を経由して火災通報装置９０の第三シーケンサ９２に送信される（図４のＳ４３参照）。端末装置２０と第三シーケンサ９２を、ネットワーク３を介して直接通信させるようにしてもよい。この場合、図４のＳ４３では、通報指示の送信先は、第三シーケンサ９２とされる。通報指示は、通信部２７から第三シーケンサ９２に送信される。停止指示は、端末装置２０からサーバ装置６０を経由して第二シーケンサ８２に送信される（図４のＳ５１参照）。端末装置２０と第二シーケンサ８２を、ネットワーク３を介して直接通信させるようにしてもよい。この場合、図４のＳ５１では、停止指示の送信先は、第二シーケンサ８２とされる。停止指示は、通信部２７から第二シーケンサ８２に送信される。
【００６０】
（２）上記では、火災受信装置１０は、火災受信機１１と第一シーケンサ１２を含む。火災受信装置１０では、火災受信機１１と第一シーケンサ１２が通信可能に接続される。火災受信装置は、火災受信機と第一シーケンサを一体化した単一の装置としてもよい。一体型の火災受信装置では、所定の火災感知器７０からの火災信号が受信されると、火災受信装置のＣＰＵは、鳴動指示を、警報装置８０の警報出力機８１に送信させる。一体型の火災受信装置では、所定の火災感知器７０からの火災信号が受信されると、火災受信装置のＣＰＵは、この火災信号を取得し、火災を感知した火災感知器７０が設置された火災感知場所を示す火災場所情報を、火災受信装置の通信部からサーバ装置６０に送信させる。更に、火災受信装置は、サーバ装置６０と同等のサーバ機能を有する装置としてもよい。この場合、サーバ装置６０は、省略され、火災受信装置が、上述したサーバ装置６０として機能する。
【００６１】
警報装置８０は、警報出力機８１と第二シーケンサ８２を含む。警報装置８０では、警報出力機８１と第二シーケンサ８２が通信可能に接続される。警報装置は、警報出力機と第二シーケンサを一体化した単一の装置としてもよい。一体型の警報装置では、端末装置２０からの停止指示が受信されると、警報装置のＣＰＵは、警報装置の通信部を介して停止指示を取得し、警報出力機に相当する構成に停止指示を出力する。火災通報装置９０は、火災通報機９１と第三シーケンサ９２を含む。火災通報装置９０では、火災通報機９１と第三シーケンサ９２が通信可能に接続される。火災通報装置は、火災通報機と第三シーケンサを一体化した単一の装置としてもよい。一体型の火災通報装置では、端末装置２０からの通報指示が受信されると、火災通報装置のＣＰＵは、火災通報装置の通信部を介して通報指示を取得し、火災通報機に相当する構成に通報指示を出力する。
【００６２】
（３）上記では、火災感知場所を、火災感知器７０がそれぞれ設けられた単位で区分した建物２の所定の範囲とし、火災場所情報を、前述した範囲に応じた火災感知場所を示す情報とした。例えば、２階Ｅ号室に設置された火災感知器７０で火災が感知された場合の火災感知場所及び火災場所情報は、２階Ｅ号室とした。即ち、火災感知場所を、１個の火災感知器７０が設けられた各部屋単位とし、火災感知場所情報を、各部屋の階数と部屋名の組み合わせとした。火災感知場所は、複数の火災感知器７０によって監視される所定の範囲に設定してもよい。例えば、火災感知場所は、階数毎に区分するようにしてもよい。火災場所情報は、階数によって示される。この場合、例えば、２階Ｄ号室、２階Ｅ号室及び２階Ｆ号室のそれぞれに設置された火災感知器７０の何れで火災が感知されたとしても、火災感知場所は建物２の２階であり、火災場所情報は２階とされる。この他、火災感知場所及び火災場所情報は、例えば、２階東側又は２階西側といった範囲で設定してもよい。
【００６３】
（４）上記では、端末装置２０で、ＲＯＭ２２にフロアマップデータが記憶される。サーバ装置６０に、フロアマップデータを記憶させ、サーバ装置６０から端末装置２０に、フロアマップデータを送信するようにしてもよい。サーバ装置６０は、識別番号と火災場所情報と共に、フロアマップデータを送信する。フロアマップデータは、送信対象の火災場所情報が示す火災感知場所を含むフロアマップ４１に対応するデータとされる。この他、メイン処理（図２〜図４参照）のＳ２５が肯定（図３のＳ２５：Ｙｅｓ参照）された場合、Ｓ２７の実行前に、サーバ装置６０にフロアマップデータの送信要求を送信し、サーバ装置６０からフロアマップデータを取得するようにしてもよい。この場合、送信要求には、表示中の火災情報画面に含まれる火災場所情報が含められる。サーバ装置６０では、火災場所情報に従い、送信対象のフロアマップデータが特定される。
【００６４】
（５）上記では、端末装置２０で火災場所情報が取得された場合（図２のＳ１３：Ｙｅｓ参照）、音出力部２６から警報音が出力される（図２のＳ１７参照）。端末装置２０では、火災場所情報が取得された場合（図２のＳ１３：Ｙｅｓ参照）、警報音と共に又は警報音に代えて、端末装置２０に設けられる発光体（不図示）を点灯又は点滅させるようにしてもよい。端末装置２０で火災場所情報が取得された場合（図２のＳ１３：Ｙｅｓ参照）、図２のＳ１９で表示される火災情報画面に、この火災情報画面に含まれる火災場所情報が示す火災感知場所を含むフロアマップ４１を含めるようにしてもよい。この場合、火災情報画面では、マップ表示ボタン３３を省略し、メイン処理（図２〜図４参照）では、図３のＳ２５〜Ｓ２９を省略するようにしてもよい。メイン処理では、図２のＳ２３が否定された場合（Ｓ２３：Ｎｏ参照）、処理は、図３のＳ３１に移行される。Ｓ３１が否定された場合（Ｓ３１：Ｎｏ参照）、処理は、図４のＳ４１に移行される。
【００６５】
（６）上記では、火災報知システム１における端末装置２０の台数を１台とした。火災報知システム１は、複数の端末装置２０を含むようにしてもよい。複数の警備員が居る場合、各警備員が各端末装置２０を操作する。この場合、複数の端末装置２０で、上述したメイン処理（図２〜図４参照）がそれぞれ実行される。図４のＳ４７に関連して、端末装置２０では、確認情報をサーバ装置６０に送信するようにしてもよい。確認情報は、Ｓ４７によって関連付けて記憶された識別情報と火災場所情報と取得済み情報を含む。確認情報では、識別情報は省略するようにしてもよい。サーバ装置６０では、端末装置２０からの確認情報が受信され、この確認情報に含まれる識別情報及び火災場所情報に一致する識別情報及び火災場所情報に関連付けて取得済み情報が記憶される。サーバ装置６０は、確認情報を、複数の端末装置２０にそれぞれ送信する。端末装置２０では、確認情報に含まれる識別情報及び火災場所情報に一致する識別情報及び火災場所情報に関連付けて取得済み情報が記憶される。確認情報の送信元の端末装置２０では、この記憶は、省略することができる。確認情報の送信先となる端末装置２０から、確認情報の送信元の端末装置２０を除外するようにしてもよい。このような構成によれば、複数の端末装置２０で、識別情報と火災場所情報と取得済み情報を同期させることができる。複数の警備員が、同じ火災感知場所を確認するといった事態の発生を抑制することができる。
【００６６】
（７）上記では、火災感知器７０で火災の発生が感知された場合、火災場所情報がサーバ装置６０に記憶される（図１参照）。更に、サーバ装置６０では、図３のＳ３９で端末装置２０から送信される救助情報が受信され、被災者値と指定場所情報が記憶される。サーバ装置６０は、自装置に記憶された前述の各情報を、インターネット４を介してクラウドサーバ５に送信するようにしてもよい。クラウドサーバ５は、受信された前述の各情報を記憶する。インターネット４に接続可能な通信端末を用いて、クラウドサーバ５から前述の各情報を取得することが可能となる。建物２の外部から、火災の発生場所と救助情報（被災者値及び指定場所情報）を確認することができる。クラウドサーバ５に記憶された前述の各情報へのアクセスは、所定の認証を経て行うようにしてもよい。クラウドサーバ５に記憶された前述の各情報を含む電子メールを、事前に登録されたメールアドレスを宛先として送信することもできる。
【符号の説明】
【００６７】
１  火災報知システム、  ２  建物、  ３  ネットワーク、  ４  インターネット
５  クラウドサーバ、  ６  公衆回線、  ７  消防機関、  １０  火災受信装置
１１  火災受信機、  １２  第一シーケンサ、  １３  ＣＰＵ、  １４  通信部
２０  端末装置、  ２１  ＣＰＵ、  ２２  ＲＯＭ、  ２３  ＲＡＭ、  ２４  表示部
２５  操作部、  ２６  音出力部、  ２７  通信部、  ３１  前ボタン
３２  次ボタン、  ３３  マップ表示ボタン、  ３４  緊急通報ボタン
３５  誤報登録ボタン、  ３６  消音ボタン、  ３７  終了ボタン
４１  フロアマップ、  ４２  設備情報、  ４３  経路情報、  ４４  階数情報
４５  アラート情報、  ４６  戻るボタン、  ５１  テンキー、  ５２  入力ボックス
５３  確定ボタン、  ５４  戻るボタン、  ６０  サーバ装置、  ７０  火災感知器
８０  警報装置、  ８１  警報出力機、  ８２  第二シーケンサ
９０  火災通報装置、  ９１  火災通報機、  ９２  第三シーケンサ
【要約】
【課題】火災が発生し又は火災が発生した可能性のある場合に迅速な対応を可能とする、端末装置用のプログラムと端末装置と火災報知システムを提供する。
【解決手段】建物で発生した火災を自動で報知する建物に設置される火災報知システムに含まれる端末装置では、第一取得処理と第一表示処理が実行される。第一取得処理は、建物に設置された火災感知器で火災の発生が感知された場合、火災を感知した火災感知器が設置された火災感知場所を示す火災場所情報を、建物に設置されたネットワークに接続される端末装置の通信部を介して取得する処理である。第一表示処理は、火災場所情報が取得された場合、火災感知場所を含む建物のフロアマップを、端末装置の表示部に表示させる処理である。
【選択図】図５【図１】
0006051496.tif 000002
【図２】
0006051496.tif 000003
【図３】
0006051496.tif 000004
【図４】
0006051496.tif 000005
【図５】
0006051496.tif 000006
【図６】
0006051496.tif 000007